【手続補正書】
【提出日】平成21年10月16日(2009.10.16)
【手続補正１】
【補正対象書類名】特許請求の範囲
【補正対象項目名】全文
【補正方法】変更
【補正の内容】
【特許請求の範囲】
【請求項１】
複数のコンテンツデータを少なくとも１つのグループとして管理することが可能なデータ処理装置において、
上記グループにｉｄを付与するｉｄ付与手段と、
少なくとも、上記コンテンツデータと上記グループとの対応情報、及び上記ｉｄを含むグループ管理データを作成するグループ管理データ作成手段と、
を具備することを特徴とするデータ処理装置。
【請求項２】
上記ｉｄは、上記グループのグループ名とは別に作成される唯一無二の識別データを含むことを特徴とする請求項１に記載のデータ処理装置。
【請求項３】
複数のコンテンツデータを少なくとも１つのグループとして管理することが可能なデータ処理装置から上記グループ単位でコンテンツデータを取得し蓄積することが可能なデータ蓄積装置において、
データを格納する格納手段と、
上記データ処理装置から取得しようとするグループのｉｄを取得するｉｄ取得手段と、
上記ｉｄ取得手段で取得されたｉｄと上記格納手段に格納されているグループのｉｄとを比較して、上記データ処理装置から取得しようとするグループと同一のグループが上記格納手段に格納されているか否かを判定する判定手段と、
上記判定手段の判定結果によって上記データ処理装置からグループの取得及び上記格納手段への格納を制御する制御手段と、
を具備することを特徴とするデータ蓄積装置。
【請求項４】
上記制御手段は、上記判定手段により上記取得しようとするグループと同一のグループが上記格納手段に格納されていると判定された場合には、上記格納手段に格納されているグループの更新処理を行なうように制御することを特徴とする請求項３に記載のデータ蓄積装置。
【請求項５】
上記制御手段は、上記判定手段により上記取得しようとするグループと同一のグループが上記格納手段に格納されていると判定された場合には、上記グループに含まれるコンテンツデータのうち、上記格納手段に格納されていないコンテンツデータのみ上記データ処理装置から取得して上記格納手段に追加格納するとともに、上記格納手段に格納されている上記グループを管理しているグループ管理データに上記追加格納されたコンテンツデータの情報を反映させるように制御することを特徴とする請求項４に記載のデータ蓄積装置。
【請求項６】
上記制御手段は、上記判定手段により上記取得しようとするグループと同一のグループが上記格納手段に格納されていないと判定された場合には、新規のグループとして上記データ処理装置から上記グループを取得し、上記格納手段に格納するように制御することを特徴とする請求項３に記載のデータ蓄積装置。
【請求項７】
複数のコンテンツデータを少なくとも１つのグループとして管理することが可能なデータ処理装置と、上記データ処理装置から上記グループ単位でコンテンツデータを取得し蓄積することが可能なデータ蓄積装置とを含むデータ処理システムにおいて、
上記データ処理装置は、
上記コンテンツデータと上記グループとの対応情報を含む管理データを作成するグループ管理データ作成手段と、
上記グループにｉｄを付与するｉｄ付与手段とを有し、
上記データ蓄積手段は、
データを格納する格納手段と、
上記データ処理装置から取得しようとするグループのｉｄを取得するｉｄ取得手段と、
上記ｉｄ取得手段で取得されたｉｄと上記格納手段に格納されているグループのｉｄとを比較して、上記データ処理装置から取得しようとするグループと同一のグループが上記格納手段に格納されているか否かを判定する判定手段と、
上記判定手段の判定によって上記データ処理装置からのグループの取得及び上記格納手段への格納を制御する制御手段と、
を有することを特徴とするデータ処理システム。
【請求項８】
コンピュータに、複数のコンテンツデータを少なくとも１つのグループとして管理させることが可能なデータ処理プログラムにおいて、
上記データ処理プログラムは、コンピュータに、
上記グループごとにｉｄを生成させ、
少なくとも、上記コンテンツデータと上記グループとの対応情報、及び上記ｉｄを含むグループ管理データを作成させることを特徴とするデータ処理プログラム。
【請求項９】
コンピュータに、複数のコンテンツデータを少なくとも１つのグループとして管理することが可能なデータ処理装置から上記グループ単位でコンテンツデータを取得させ、蓄積させることが可能なデータ蓄積プログラムにおいて、
上記データ蓄積プログラムは、コンピュータに、
上記データ処理装置から取得しようとするグループのｉｄを取得させ、
上記ｉｄと上記コンピュータが管理する格納手段に格納されているグループのｉｄとを比較して、上記データ処理装置から取得しようとするグループと同一のグループが上記格納手段に格納されているか否かを判定させ、
上記判定によって上記データ処理装置からのグループの取得及び上記格納手段への格納を制御させることを特徴とするデータ蓄積プログラム。
【手続補正２】
【補正対象書類名】明細書
【補正対象項目名】０００７
【補正方法】変更
【補正の内容】
【０００７】
本発明のデータ処理装置の一態様は、複数のコンテンツデータを少なくとも１つのグループとして
管理することが可能なデータ処理装置において、
上記グループにｉｄを付与するｉｄ付与手段と、
少なくとも、上記コンテンツデータと上記グループとの対応情報、及び上記ｉｄを含むグループ管理データを作成するグループ管理データ作成手段と、
を具備することを特徴とする。
【手続補正３】
【補正対象書類名】明細書
【補正対象項目名】０００８
【補正方法】変更
【補正の内容】
【０００８】
また、本発明のデータ蓄積装置の一態様は、複数のコンテンツデータを少なくとも１つのグループとして管理することが可能なデータ処理装置から上記グループ単位でコンテンツデータを取得し蓄積することが可能なデータ蓄積装置において、
データを格納する格納手段と、
上記データ処理装置から取得しようとするグループのｉｄを取得するｉｄ取得手段と、
上記ｉｄ取得手段で取得されたｉｄと上記格納手段に格納されているグループのｉｄとを比較して、上記データ処理装置から取得しようとするグループと同一のグループが上記格納手段に格納されているか否かを判定する判定手段と、
上記判定手段の判定結果によって上記データ処理装置からグループの取得及び上記格納手段への格納を制御する制御手段と、
を具備することを特徴とする。
【手続補正４】
【補正対象書類名】明細書
【補正対象項目名】０００９
【補正方法】変更
【補正の内容】
【０００９】
また、本発明のデータ処理システムの一態様は、複数のコンテンツデータを少なくとも１つのグループとして管理することが可能なデータ処理装置と、上記データ処理装置から上記グループ単位でコンテンツデータを取得し蓄積することが可能なデータ蓄積装置とを含むデータ処理システムにおいて、
上記データ処理装置は、
上記コンテンツデータと上記グループとの対応情報を含む管理データを作成するグループ管理データ作成手段と、
上記グループにｉｄを付与するｉｄ付与手段とを有し、
上記データ蓄積手段は、
データを格納する格納手段と、
上記データ処理装置から取得しようとするグループのｉｄを取得するｉｄ取得手段と、
上記ｉｄ取得手段で取得されたｉｄと上記格納手段に格納されているグループのｉｄとを比較して、上記データ処理装置から取得しようとするグループと同一のグループが上記格納手段に格納されているか否かを判定する判定手段と、
上記判定手段の判定によって上記データ処理装置からのグループの取得及び上記格納手段への格納を制御する制御手段と、
を有することを特徴とする。
【手続補正５】
【補正対象書類名】明細書
【補正対象項目名】００１０
【補正方法】変更
【補正の内容】
【００１０】
また、本発明のデータ処理プログラムの一態様は、コンピュータに、複数のコンテンツデータを少なくとも１つのグループとして管理させることが可能なデータ処理プログラムにおいて、
上記データ処理プログラムは、コンピュータに、
上記グループごとにｉｄを生成させ、
少なくとも、上記コンテンツデータと上記グループとの対応情報、及び上記ｉｄを含むグループ管理データを作成させることを特徴とする。
【手続補正６】
【補正対象書類名】明細書
【補正対象項目名】００１１
【補正方法】変更
【補正の内容】
【００１１】
また、本発明のデータ蓄積プログラムの一態様は、コンピュータに、複数のコンテンツデータを少なくとも１つのグループとして管理することが可能なデータ処理装置から上記グループ単位でコンテンツデータを取得させ、蓄積させることが可能なデータ蓄積プログラムにおいて、
上記データ蓄積プログラムは、コンピュータに、
上記データ処理装置から取得しようとするグループのｉｄを取得させ、
上記ｉｄと上記コンピュータが管理する格納手段に格納されているグループのｉｄとを比較して、上記データ処理装置から取得しようとするグループと同一のグループが上記格納手段に格納されているか否かを判定させ、
上記判定によって上記データ処理装置からのグループの取得及び上記格納手段への格納を制御させることを特徴とする。